(57)【要約】【課題】バルク貯槽からＦＲＰ容器に直接ＬＰガスの充填を可能にする。【解決手段】ＬＰガスを供給する充填ホース（２）の一端に、ＬＰガスを貯留したバルク貯槽（２５）の液取出弁（２６）と着脱可能に連結する接続アダプタ（６）を取付け、前記充填ホース（２）の他端に繊維強化プラスチック製のＦＲＰ容器（２０）に設けたカップリング容器弁（２１）と、前記ＦＲＰ容器（２０）のカップリング容器弁（２１）と着脱可能に連結する雌継手（９）と、ＬＰガスの流路を遮断するストップ弁（１０）とからなるカップリング型の第１充填連結部（８）を着脱可能に接続してなることを特徴とする。【選択図】 図１
2019100392.tif 000002
【特許請求の範囲】
【請求項１】
ＬＰガスを供給する充填ホース（２）の一端に、ＬＰガスを貯留したバルク貯槽（２５）の液取出弁（２６）と着脱可能に連結する接続アダプタ（６）を取付け、前記充填ホース（２）の他端に繊維強化プラスチック製のＦＲＰ容器（２０）に設けたカップリング容器弁（２１）と着脱可能に接続するカップリング型の第１充填連結部（８）を取付けてなることを特徴とする第１ＬＰガス簡易充填装置。
【請求項２】
前記第１充填連結部（８）は、前記ＦＲＰ容器（２０）のカップリング容器弁（２１）と着脱可能に連結する雌継手（９）と、ＬＰガスの流路を遮断するストップ弁（１０）とからなることを特徴とする請求項１記載の第１ＬＰガス簡易充填装置。
【請求項３】
ＬＰガスを供給する充填ホース（２）の一端に、ＬＰガスを貯留したバルク貯槽（２５）の液取出弁（２６）と着脱可能に連結する接続アダプタ（６）を取付け、前記充填ホース（２）の他端に繊維強化プラスチック製のＦＲＰ容器（２０）に設けたカップリング容器弁（２１）と着脱可能に接続する雌継手（９）と、ＬＰガスの流路を遮断するストップ弁（１０）とからなる第１充填連結部（８）を取付け、前記充填ホース（２）の中間部分の任意個所に取付けた分岐管（１５）の一方にＦＲＰ容器（２０）に接続する第１流路（４）を連結し、他方に普及型の金属容器（２８）に接続する第２流路（５）を接続し、該第２流路はストップ弁（１６）を介して先端に普及型の金属容器（２８）のバルブ弁（２９）に着脱可能に取付ける充填用連結弁（１７）を取付けてなることを特徴とする第２ＬＰガス簡易充填装置。
【請求項４】
前記ＦＲＰ容器（２０）は、下部にＬＰガスの充填量を計測する計測器（３０）を取付けてなることを特徴とする請求項３記載の第２ＬＰガス簡易充填装置。
【請求項５】
ＬＰガスを供給する充填用ホース（２）の一端にＬＰガスを貯留したバルク貯槽（２５）の液取出弁（２６）に着脱可能に接続する接続アダプタ（６）を取付け、前記充填用ホース（２）の他端に繊維強化プラスチック製のＦＲＰ容器（２０）に取付けたカップリング容器弁（２１）に着脱可能に接続するカップリング型の第２充填連結部（１１）を連結し、前記ＦＲＰ容器（２０）の下部に位置したＬＰガス充填量を計測する計測器（３１）と、前記第２充填連結部（１１）に設けた電磁弁（１３）とを電気的に接続してなることを特徴とする第３ＬＰガス簡易充填装置。
【請求項６】
前記第２充填連結部（１１）は、前記ＦＲＰ容器（２０）のカップリング容器弁（２１）と着脱可能に連結する雌継手（１２）と、電磁弁（１３）とからなり、前記電磁弁（１３）は、ＦＲＰ容器（２０）に所定量のＬＰガスが充填されると、該ＦＲＰ容器（２０）の下部に位置したＬＰガス充填量を計測する計測器（３１）からの電気信号により弁を閉口させてＦＲＰ容器（２０）へ定量のＬＰガスを充填可能し、且つ、ＬＰガスの過充填を防止することを特徴とする請求項５記載の第３ＬＰガス簡易充填装置。
【発明の詳細な説明】
【技術分野】
【０００１】
本発明は、バルク貯槽からＦＲＰガス容器にＬＰガスを充填する簡易充填装置に関する。
【背景技術】
【０００２】
従来、ＬＰガスを充填した金属製の家庭用ボンベまたは事業用ボンベ（金属製容器）は、都市ガスが普及していない過疎地、山間部、島嶼地域または、各種イベント会場、さらには災害時のおける炊き出し用の燃料として広く普及している。
【０００３】
通常、ＬＰガスはガス販売業者が大型ガスタンクのある充填所において、小分けされたボンベに充填されて各家庭または事業者に販売されている。このボンベにＬＰガスを充填する場合、大型ガスタンクに接続した充填ホースを介してボンベのバルブ弁に接続部を螺合し、ガスタンクに連動したポンプを駆動させてＬＰガスを強制的に充填させていた。
【０００４】
また、ＬＰガスを燃料とする自動車のガスボンベにＬＰガスを充填する場合、貯留槽内に加圧用ガスを注入して加圧してからボンベに充填することなどが行われている（例えば、特許文献１、２参照）。
【先行技術文献】
【特許文献】
【０００５】
【特許文献１】特開２００２−１８１２９０号
【特許文献２】特開２００４−６９０２９号
【０００６】
前記発明は、いずれもＬＰガス貯留用タンクと加圧ガス用タンクを必要とし、設備が大型となり不便である。一方、昨今は重くて取扱いが不便な金属製ガスボンベに代わって軽量で丈夫な合成樹脂製の小型ボンベ（以下、ＦＲＰ容器という。）が普及している。このＦＲＰ容器は、繊維強化プラスチック材により形成され、重量が金属製の容器の半分程度と軽量で、耐圧性も金属製容器の２倍を有し、耐腐食性にも強く、また、火事にあっても爆発しない安全性と強度性を有する容器である。
【０００７】
現在、このＦＲＰ容器は、容量が１０ｋｇ未満の小型容器が広く普及し、その用途は、軽量で丈夫であって、持ち運びに便利であることから災害対策時における炊き出し用の燃料として、また、一般家屋において、ガス栓のない部屋でのガスファンヒータやガス衣料乾燥機、さらには屋外におけるキャンプ用燃料として使用が可能で、さらには、屋外暖房用のパラソルヒータの燃料としても広く使用されている。
【０００８】
このＦＲＰ容器もＬＰガス容器である以上、ＬＰガスが無くなればＬＰガスを充填しなければならない。しかし、ＦＲＰ容器の充填所は、街のガソリンスタンドのごとく、どこにでもあるわけではなく、大型のＬＰガスタンクを設置してある充填所に行かなければ充填できない。さらには、ＦＲＰ容器は金属製のボンベと相違し、各種器具との接続に安全性を高めるためにカップリング容器弁を使用している。そのため、通常のＬＰガス容器に取付けてあるバルブ弁のごとく、ガスの充填ホースに取付けたねじ込み式の接続具では接続をすることができない。
【０００９】
また昨今は、事業者用または一般家庭用のＬＰガスガスボンベに代わり、貯留容量の大きな、いわゆるバルク貯槽が普及している。しかし、ＦＲＰ容器は、まだ十分に普及していないことから、既存のバルク貯槽の充填ホースには、ＦＲＰ容器充填用のカップリング接続をすることができない。そのため、ＦＲＰ容器にＬＰガスを充填するためには大型の貯留タンクのある充填所まで行かなければ充填することができなかった。
【発明の概要】
【発明が解決しようとする課題】
【００１０】
そこで、既存のバルク貯槽からＦＲＰ容器にＬＰガスの充填を容易にし、災害時のおける緊急用燃料として、または、ガス販売店でのＦＲＰ容器の取り扱いを容易にすることにより、丈夫で軽量なＦＲＰ容器の普及を図ることを課題とするものである。
【課題を解決するための手段】
【００１１】
請求項１の発明は、ＬＰガスを供給する充填ホース２の一端に、ＬＰガスを貯留したバルク貯槽２５の液取出弁２６と着脱可能に連結する接続アダプタ６を取付け、前記充填ホース２の他端に繊維強化プラスチック製のＦＲＰ容器２０に設けたカップリング容器弁２１と着脱可能に接続するカップリング型の第１充填連結部８を取付けてなることを特徴とする。また、前記第１充填連結部８は、前記ＦＲＰ容器２０のカップリング容器弁２１と着脱可能に連結する雌継手９と、ＬＰガスの流路を遮断するストップ弁１０とからなることを特徴とする。
【００１２】
したがって、第１ＬＰガス簡易充填装置１Ａは、充填ホース２の一端に接続した接続アダプタ６の先端をバルク貯槽２５の液取出弁２６に連結し、他端に連結した第１充填連結部８をＦＲＰ容器２０のカップリング容器弁２１と簡便に連結することができる。さらに、ＬＰガスを充填する場合、送液ポンプや加圧ガスを使用することなく、バルク貯槽２５内の圧力とＦＲＰ容器２０内の圧力差（０．３ＭＰａ以上）で流動させて充填することができる。そのため、高圧ガス保安法に準拠して簡易にＬＰガスの充填を行うことができる。一方、ＦＲＰ容器２０は、軽量で丈夫であるため持ち運びに便利であること、さらには、合成樹脂製であることからカラーバリエーションとファッション性に優れているため室内に設置しても違和感がない。さらには、屋内のエアコンやガスコンセントの無い部屋での暖房器具としてガスストーブ用の燃料として使用することができるなど用途が広がっていることから、前記ＦＲＰ容器にガスを充填するために大型タンクのある充填所まで行くことなく、バルク貯槽２５から本願にかかる第１ＬＰガス簡易充填装置１Ａを使用してＦＲＰ容器２０に簡単に充填を行うことができるので便利である。さらには、ライフラインが途絶えた緊急災害時などでも、バルク貯槽２５は耐震構造を有していることから本願の第１ＬＰガス簡易充填装置１Ａを使用することにより、器具を使用せずに簡単にＦＲＰ容器２０にＬＰガスを充填することができるので、災害時などの緊急時に燃料を確保することができ便利である。
【００１３】
請求項３の発明は、ＬＰガスを供給する充填ホース２の一端に、ＬＰガスを貯留したバルク貯槽２５の液取出弁２６と着脱可能に連結する接続アダプタ６を取付け、前記充填ホース２の他端に、繊維強化プラスチック製のＦＲＰ容器２０に設けたカップリング容器弁２１と着脱可能に接続する雌継手９とＬＰガスの流路を遮断するストップ弁１０とからなる第１充填連結部８を取付け、前記充填ホース２の中間部分の任意個所に取付けた分岐管１５の一方にＦＲＰ容器２０に接続する第１流路４を連結し、他方に普及型の金属容器２８に接続する第２流路５を接続し、該第２流路はストップ弁１６を介して先端に普及型の金属容器２８のバルブ弁２９に着脱可能に取付ける充填用連結弁１７を取付けてなることを特徴とする。また、前記ＦＲＰ容器２０は、下部にＬＰガスの充填量を計測する計測器３０を取付けてなることを特徴とする。
【００１４】
したがって、第２ＬＰガス簡易充填装置１Ｂは、充填ホース２の一端に接続した接続アダプタ６の先端をバルク貯槽２５の液取出弁２６に連結し、他端に連結した第１充填連結部８をＦＲＰ容器２０のカップリング容器弁２１とを器具を使用することなく手動で簡便に連結することができる。さらに、ＬＰガスを充填する場合、バルク貯槽２５内の圧力とＦＲＰ容器２０内の圧力差（０．３ＭＰａ以上）で流動させることにより充填することができるため、高圧ガス保安法に準拠して簡易にＬＰガスの充填を行うことができる。さらにはまた、ＦＲＰ容器２０に取付けた計測器３０で充填量を計測することにより、過充填や充填不足を防止することができる。また、第２充填装置１Ｂは、第２流路５に空ボンベ２８を接続したことにより、万一、ＦＲＰ容器２０への過充填または充填不足が生じた場合、余分なＬＰガスを空ボンベ２８に充填可能にし、また、ＦＲＰ容器２０内の圧力を空ボンベ２８に抜くことができるのでスムースに充填作業を行うことができる。
【００１５】
請求項５の発明は、ＬＰガスを供給する充填用ホース２の一端にＬＰガスを貯留したバルク貯槽２５の液取出弁２６に着脱可能に接続する接続アダプタ６を取付け、前記充填用ホース２の他端に繊維強化プラスチック製のＦＲＰ容器２０に取付けたカップリング容器弁２１に着脱可能に接続するカップリング型の第２充填連結部１１を連結し、前記ＦＲＰ容器２０の外底面に位置したＬＰガス充填量を計測する計測器３１と、前記第２充填連結部１１に設けた電磁弁１３とを電気的に接続してなることを特徴とする。また、前記第２充填連結部１１は、前記ＦＲＰ容器２０のカップリング容器弁２１と着脱可能に連結する雌継手１２と、電磁弁１３とからなり、前記電磁弁１３は、ＦＲＰ容器２０に所定量のＬＰガスが充填されると、該ＦＲＰ容器２０の下部に位置したＬＰガスの充填量を計測する計測器３１からの電気信号により弁を閉口させてＦＲＰ容器２０へ定量のＬＰガスを充填可能し、且つ、ＬＰガスの過充填を防止することを特徴とする。
【００１６】
したがって、第３ＬＰガス簡易充填装置１Ｃは、ＬＰガス充填用ホース２の一端に接続アダプタ６を取付け、他端にＦＲＰ容器２０のカップリング容器弁２１に連結する第２充填連結部１１を連結した簡便な構成であることから経済的な装置である。また、ＬＰガスをバルク貯槽２５からＦＲＰ容器２０に充填する場合、前記接続アダプタ６をバルク貯槽２５の液取出弁２６に接続し、他端を第２充填連結部１１の雌継手１２をＦＲＰ容器２０のカップリング容器弁２１に接続して各弁を開口すると、ＬＰガス圧の高いバルク貯槽２５側から容器内圧力の低いＦＲＰ容器２０側にＬＰガスの圧力差（０．３ＭＰａ以上）で流動させてＦＲＰ容器２０内にＬＰガスを簡単に充填することができる。さらに、ＦＲＰ容器２０のカップリング容器弁２１と第２充填連結部１１の雌継手１２との接続は、カップリング式のワンタッチで簡単確実に連結することができるので、ガス漏れの恐れがなく安全である。さらには、ＦＲＰ容器２０を計測器３１に載置して充填量を計測して第２充填連結部１１に取付けた電磁弁１３に信号を伝達し、該弁を確実に閉口してＬＰガスの過充填を防止することができる。
【図面の簡単な説明】
【００１７】
【図１】第１の実施の形態を示す第１ＬＰガス簡易充填装置の模式図である。
【図２】第２の実施の形態を示す第２ＬＰガス簡易充填装置の模式図である。
【図３】第３の実施の形態を示す第３ＬＰガス簡易充填装置の模式図である。
【図４】本発明の第２の実施の形態を示す第２ＬＰガス簡易充填装置の作業手順のフローチャートを示すものである。
【発明を実施するための形態】
【００１８】
本発明の実施の形態を図面に基づいて説明すると、図１は第１の実施の形態を示す第１ＬＰガス簡易充填装置の模式図である。この第１ＬＰガス簡易充填装置１Ａは、図１に示すごとく、ＬＰガスを充填するための高圧ガス用の充填ホース２と、液化石油ガスを貯留したバルク貯槽２５の液取出弁２６に着脱可能に取付ける接続アダプタ６と、ＦＲＰ容器２０のカップリング容器弁２１に連結するカップリング用の第１充填連結部８とからなり、この第１充填連結部８は、ＦＲＰ容器２０のカップリング容器弁２１と着脱可能に連結する雌継手９と、ＬＰガスの流路である充填ホース２を開閉可能に遮断するストップ弁１０とにより構成されている。
【００１９】
前記バルク貯槽２５は、液化石油ガス（以下、ＬＰガスという）を貯留するタンクで、各家庭または事業所に設置または埋設されている３トン未満の容量を有するものをいう。ＬＰガスの貯留は、液化石油ガス法により、保安安全基準が定められているため、ポンプまたはガス圧等により充填する場合には厳しい制約がある。
【００２０】
しかし、前記ポンプまたはガス圧等を使用しないで、ＬＰガスの圧力差を利用して充填する場合に、安全のため一応の保安基準はあるが、容器内の圧力差を利用してＬＰガスを移送することは認められている。一方、ＬＰガス容器は、従来から各家庭または事業所に設置する金属製のガスボンベが使用され、用途により容量の異なる各種ＬＰガスボンベ、例えば、１０ｋｇ、２０ｋｇ、５０ｋｇのボンベが使用されている。しかし、昨今は技術進歩により合成樹脂製の軽量で丈夫なＬＰガス容器が知られている。
【００２１】
特に、この合成樹脂製のＬＰガス容器（以下、ＦＲＰ容器という。）は、繊維強化プラスチック材により形成した圧力容器と保護カバーとの二重構造からなり、重量も金属製容器の半分程度と軽量で、耐高圧性も金属製容器の２倍を有し、プラスチック材で形成してあるため耐腐食性にも強く沿岸地域でも錆びにくく安心して使用することができる。さらには、火災にあってもグラスファイバー材で形成した圧力容器は熱では溶けず、爆発しない安全性と強度性を有すると共に、容器に着色が可能であるため美感に優れ室内においても違和感なく使用することができる。さらにはまた、容器は半透明であることから外部からガスの残量を目視することができるので、ガス切れを防止することができるなど多くの利点があることから使い勝手がよく便利であることから広く普及することが望まれている。
【００２２】
そこで、本発明はバルク貯槽から簡単にＦＲＰ容器に充填することができ、且つ、災害などの緊急時には既に各家庭、または事業所などに設置してあるバルク貯槽からからも充填することができる充填装置を提供するものである。
【００２３】
第１ＬＰガス簡易充填装置（以下、第１充填装置という。）１Ａについて説明すると、充填ホース２の一端に取付けてある接続アダプタ６はねじ込み式に形成され、バルク貯槽２５の液取出弁２６の連結口に設けた雌ねじ部と螺合させて連結する。螺合は接続アダプタ６のハンドル部を手動で回すことにより簡単に液取出弁２６の連結口に締着することができる。
【００２４】
充填ホース２の他端に取付けてある第１充填連結部８は、前記ＦＲＰ容器２０のカップリング容器弁２１と着脱可能に連結する雌継手９と、ＬＰガスの流路をなす充填用ホース２を開閉可能に遮断するストップ弁１０とからなり、ＦＲＰ容器２０のカップリング容器弁２１は雄型カップリングに形成してあることから、ワンタッチで前記雌継手９と着脱可能に連結することができる。したがって、第１充填装置１Ａの連結は器具を使用することなく手動で簡単に連結作業を行うことができる。
【００２５】
この第１充填装置１Ａの作用について説明すると、充填用ホース２の一端に取付けた接続アダプタ６をバルク貯槽２５の液取出弁２６に連結し、他端に取付けた充填連結部８の雌継手９をＦＲＰ容器２０のカップリング容器弁２１に連結する。次いで、第１充填連結部８のストップ弁１０を開口すると共にバルク貯槽２５の液取出弁２６を開口すると、ガス圧が高いバルク貯槽２５からガス圧力の低いＦＲＰ容器２０内に、その圧力差（０．３ＭＰａ以上）を利用してＬＰガスを流動させることにより前記ＦＲＰ容器２０に充填することができる。
【００２６】
例えば、バルク貯槽２５内の液相を気化させてＬＰガスを生成するとバルク貯槽２５内の圧力が上昇し、開口している液取出弁２６からＬＰガスが充填ホース２を介して容器内圧力が低いＦＲＰ容器２０内に圧力差（０．３ＭＰａ以上）で流動させることができるので、ＬＰガスを簡便で容易に供給することができる。ＦＲＰ容器２０内に所定量のＬＰガスが充填されると、バルク貯槽２５内の圧力とＦＲＰ容器２０内の圧力差がなくなり、ＬＰガスの移送が止まり第１充填連結部８のストップ弁１０とバルク貯槽２５の液取出し弁２６を閉口することにより充填することができる。
【００２７】
第２の実施の形態を示す第２ＬＰガス簡易充填装置（以下、第２充填装置という。）１Ｂは、図２に示すごとく、ＬＰガスを充填するための高圧ガス用の充填ホース２の一端にバルク貯槽２５の液取出し弁２６に接続する接続アダプタ６を取付け、他端にＦＲＰ容器２０に連結する第１充填連結部８を接続すると共に、この充填ホース２の中間任意個所に分岐管１５を介在させてＦＲＰ容器２０側に送液する第１流路４と、普及型の金属製容器２８（以下、空ボンベという。）に接続する第２流路５を設けてある。
【００２８】
前記バルク貯槽２５とＦＲＰ容器２０との流路、または、ＦＲＰ容器２０と空ボンベ２８の間の流路をＬＰガスがスムースに移送することができるように、前記流路内の圧力を測定するための圧力計３３を第１充填連結部８の上方の第１流路４から分岐して取付けてある。
【００２９】
前記圧力計３３によるバルク貯槽２５内の圧力測定は、ＦＲＰ容器２０と空ボンベ２８の弁を閉じ、バルク貯槽２５の液取出し弁２６を開口すると、バルク貯槽２５内の圧力を計測することができる。また、バルク貯槽２５の液取出し弁２６を閉じたまま空ボンベ２８の弁を開くと充填用ホース２内の圧力を空ボンベ２８に逃がすことができる。さらには、バルク貯槽２５の液取出し弁２６を閉じたまま空ボンベ２８のバルブ弁２９を閉じ、ＦＲＰ容器２０のカップリング容器弁２１を開口すると、ＦＲＰ容器内の圧力を計ることができる。
【００３０】
前記分岐管１５は、前記バルク貯槽２５の液取出し弁２６に接続する接続アダプタ６を一端に接続した充填ホース２を一端に接続し、分岐した一方に設けた第１流路４の先端にＦＲＰ容器２０に連結する第１充填連結部８を取付け、分岐した他方に設けた第２流路５にストップ弁１６を介して先端に空ボンベ２８のバルブ弁２９と接続する充填用連結弁１７を連結してある。
【００３１】
前記接続アダプタ６は、接続部分をねじ込み式に形成され、バルク貯槽２５の液取出弁２６の連結口に設けた雌ねじ部と螺合させて連結する。螺合は接続アダプタ６のハンドル部を手動で回すことにより簡単に液取出弁２６の連結口に締着することができる。また、第１充填連結部８は、ＦＲＰ容器２０のカップリング容器弁２１と着脱可能に連結する雌継手９を取付けてあることから、ワンタッチで着脱可能に連結することができる。
【００３２】
この第２充填装置１Ｂに使用する第１充填連結部８、バルク貯槽２５およびＦＲＰ容器２０は、前記第２充填装置１Ａに使用した第１充填連結部８、バルク貯槽２５およびＦＲＰ容器２０と同一であることから、説明が重複するためここでの説明を省略する。
【００３３】
前記ＦＲＰ容器２０には、ＬＰガスの充填量を測定する計測器３０がＦＲＰ容器２０の下面に位置することにより、ＬＰガスの充填量を目視することができるので過充填や充填不足を一目で判断することができる。また、万一、過充填や充填不足が生じた場合、すぐに判るので即座に対応した手段を講じることができる。前記計測器３０は、特別な計測器ではなく、周知の重さを計る重量計、または、液相を計る液面計であってもよい。
【００３４】
この第２充填装置１Ｂの作用について説明すると、充填用ホース２の一端に取付けた接続アダプタ６をバルク貯槽２５の液取出弁２６に連結し、第１流路４の先端に取付けた第１充填連結部８の雌継手９をＦＲＰ容器２０のカップリング容器弁２１に連結し、分岐した第２流路５に連結した充填用連結弁１７と、空ボンベ２８のバルブ弁２９とをそれぞれ接続してある。
【００３５】
第２充填装置１Ｂを使用してバルク貯槽２５からＦＲＰ容器２０にＬＰガスを充填する場合、図４のフローチャートに示すごとく、手順（１）は、バルク貯槽２５とＦＲＰ容器２０と空ボンベ２８とをそれぞれ分岐管１５を介して接続する。手順（２）は、ＦＲＰ容器２０に充填するＬＰガスの量を設定する（空ＦＲＰ容器の重量と第１充填連結部８の重量を予め測定し、プラス充填量を決める。）。手順（３）（４）は、あらかじめバルク貯槽２５とＦＲＰ容器２０と空ボンベ２８の間の充填用ホース２内の圧力測定（圧力計３３は、第１充填連結部８の上方の第１流路４から分岐して設けある。）をし、バルク貯槽２５とＦＲＰ容器２０との圧力差が０．３ＭＰａ以上あることを確認する。手順(５)は、第２流路５のストップ弁１６を閉口した後、バルク貯槽２５の液取出し弁２６とＦＲＰ容器２０のストップ弁１０を開口することにより、バルク貯槽２５とＦＲＰ容器２０との圧力差でＬＰガスがＦＲＰ容器２０に充填される。手順（６）は、ＦＲＰ容器２０に所定量のＬＰガスが充填されたことを計測器３０で確認した後、第１充填連結部８のストップ弁１０を閉口すると共にバルク貯槽２５の液取出し弁２６を閉口して充填が完了する。
【００３６】
ＬＰガスのＦＲＰ容器２０への充填は、計測器３０にＦＲＰ容器２０を載置してあること、また、外部から容器に充填した液相が見えること、とは言え、過充填または充填不足が起こる場合がある。ＬＰガスを過充填した場合、元のバルク貯槽２５にＬＰガスを戻すことはできない。そのため、過充填したＬＰガスはそのまま外気に放出して廃棄するのは法令違反であると共に危険である。そこで、この第２充填装置１Ｂは、過充填したＬＰガスを第２流路５に連結した空ボンベ２８にＦＲＰ容器２０に過充填したＬＰガスを回収することができる。
【００３７】
ＦＲＰ容器２０に過充填したＬＰガスの回収は、フローチャートの手順１０に示すごとく、バルク貯槽２５の液取出弁２６を閉口し、第２流路５のストップ弁１６を開口し、ＦＲＰ容器２０と空ボンベ２８との圧力差でＬＰガスを移送することができる。過充填分のＬＰガスの移送は、ＦＲＰ容器２０を載置した計測器３０により測定し、定量のガスが残った時点でストップ弁１０とストップ弁１６を閉口することにより、過充填量を回収することができる。
【００３８】
また、圧力差が少なくて移送できない場合は、ＦＲＰ容器２０を加温することにより、ＦＲＰ容器内のＬＰガスが膨張して加圧されて圧力差が生じ、空ボンベ２８にＬＰガスを充填することができる。したがって、過充填したＬＰガスは無駄にならないので大変経済的である。
【００３９】
さらには、バルク貯槽２５側からＦＲＰ容器２０側に圧力差でＬＰガスを充填するため、外気温の変化などにより充填中に圧力差が無くなると充填途中でＬＰガスが流動しなくなり、ＦＲＰ容器２０に所定量のＬＰガスを充填することができなくなる場合がある。
【００４０】
この場合、フローチャートの手順（７）に示すごとく、バルク貯槽２５の液取出弁２６を閉口し、第２流路５のストップ弁１６と充填用連結弁１７と空ボンベ２８のバルブ弁２９を開口し、次いで、ＦＲＰ容器２０のストップ弁１０を開口することにより、ＦＲＰ容器２０内の圧力を空ボンベ２８に移送して抜くことによりＦＲＰ容器２０内の圧力を下げ、バルク貯槽２５とＦＲＰ容器２０との圧力差を０．３ＭＰａ以上にした後、第２流路５のストップ弁１６若しくは充填用連結弁１７を閉口し、バルク貯槽２５の液取出弁２６を開口して、ＦＲＰ容器２０への充填を再開して所定量のＬＰガスを充填することができる。
【００４１】
前記第２充填装置１Ｂに示すごとく、充填ホース２に分岐管１５を介して第２流路５を設け、該第２流路５に空ボンベ２８を接続したことにより、ＦＲＰ容器２０への過充填または充填不足が生じた場合、余分なＬＰガスを空ボンベ２８に充填したり、ＦＲＰ容器２０内の圧力を空ボンベ２８に抜くことができるのでスムースに充填作業を行うことができる。また、第１流路４を閉塞してバルク貯槽２５から第２流路５の空ボンベ２８に直接ＬＰガスを充填することができるのは勿論である。
【００４２】
第３ＬＰガス簡易充填装置（以下、第３充填装置という）１Ｃは、図３に示すごとく、ＬＰガス充填用ホース２の一端に液化石油ガスを貯留したバルク貯槽２５の液取出弁２６に着脱可能に接続する接続アダプタ６を取付け、前記充填用ホース２の他端にＦＲＰ容器２０のカップリング容器弁２１に着脱可能に接続するカップリング機能を有した第２充填連結部１１を連結して構成してある。
【００４３】
前記第２充填連結部１１は、ＦＲＰ容器２０の充填量を測定するためにＦＲＰ容器２０の外底面に位置した計測器３１と電気的に接続した電磁弁１３と、前記ＦＲＰ容器２０のカップリング容器弁２１と着脱可能に連結する雌継手１２とにより構成されている。前記したバルク貯槽２５およびＦＲＰ容器２０は、前記第１の実施形態において説明した第１充填装置１Ａにおけるバルク貯槽２５およびＦＲＰ容器２０と同一であることから、説明が重複するためその説明を省略する。
【００４４】
計測器３１は、ＦＲＰ容器２０に所定量のＬＰガスが充填されると、その信号を電磁弁１３に送って弁を自動的に閉口してＬＰガスの流入を遮断して所定量のＬＰガスを充填することができる。このＦＲＰ容器２０に取付けた計測器３１は、重量を測定するものであるが、容器に充填される液面を測定して一定の充填量を測定するとその信号を電磁弁１３に送って自動的に弁を閉口する公知の液面計からなる計測器であってもよい。また、ＦＲＰ容器２０のカップリング容器弁２１と、第２充填連結部１１の雌継手１２とは、それぞれワンタッチで簡単確実に連結することができるので、ガス漏れの恐れがなく安全に使用することができる。
【００４５】
ＬＰガスの充填は、前記接続アダプタ６をバルク貯槽２５の液取出弁２６に接続し、第２充填連結部１１の雌継手１２をＦＲＰ容器２０のカップリング容器弁２１に接続した後、第２充填連結部１１の電磁弁１３を開口させると共に、バルク貯槽２５の液取出弁２６を開口することにより、ＬＰガスは、圧力の高いバルク貯槽２５側から容器内圧力の低いＦＲＰ容器２０側に圧力差（０．３ＭＰａ以上）により流動してＦＲＰ容器２０内にＬＰガスを充填し、所定量のＬＰガスがＦＲＰ容器２０内に充填されると、ＦＲＰ容器２０の外底面に位置した計測器３１が所定量の重量を感知し、その信号を前記充填連結部１１に設けた電磁弁１３に送り、該電磁弁が作動して流路を遮断することにより、ＦＲＰ容器２０に定量のＬＰガスを充填することができる。
【００４６】
したがって、ＦＲＰ容器２０の外底面に位置した計測器３１が充填量を計測して第２充填連結部１１に取付けた電磁弁１３に信号を伝達することにより自動的に電磁弁１３を遮断することができるので、ＬＰガスの過充填を防止することができる。
【００４７】
前記した第１、２、３充填装置に示したバルク貯槽２５からＦＲＰ容器２０へのＬＰガスの充填において、バルク貯槽内２５の圧力とＦＲＰ容器２０内の圧力の差圧によって充填するものであるが、夏季または冬季など季節において温度差が大きく変化することから、外気温の変化により所定の圧力差が生じない場合がある。そのため、前記した方策の他、効率的にＬＰガスを移送させるためにバルク貯槽２５に加温装置３３を取付け、または、ＦＲＰ容器２０に冷却装置（図示せず）を取付けてバルク貯槽２５内の貯留液の温度を上げ、または、ＦＲＰ容器２０の温度を下げることにより差圧を生じさせてスムースにＬＰガスを送液させることができるのは勿論である。  
【００４８】
さらに、前記加温装置３３は、所定温度（約４０℃）にバルク貯槽を加熱または冷却して液相を加圧させるもので、設定温度より高くなると、または、一定温度より低くなるとスイッチがＯＮ、ＯＦＦするサーモスタット（図示せず）を取付けて設定温度を維持可能にしてもよい。
【符号の説明】
【００４９】
１Ａ    第１ＬＰガス簡易充填装置
１Ｂ    第２ＬＰガス簡易充填装置
１Ｃ    第３ＬＰガス簡易充填装置
２      充填ホース
４      第１流路
５      第２流路
６      接続アダプタ
８      第１充填連結部
９      雌継手
１０    ストップ弁
１１    第２充填連結部
１２    雌継手
１３    電磁弁
１５    分岐管
１６    ストップ弁
１７    充填用連結弁
２０    ＦＲＰ容器
２１    カップリング容器弁
２５    バルク貯槽
２６    液取出弁
２８    普及型金属容器
２９    バルブ弁
３０    計測器
３１    計測器
３３    圧力計
【図１】
2019100392.tif 000003
【図２】
2019100392.tif 000004
【図３】
2019100392.tif 000005
【図４】
2019100392.tif 000006